(57)【要約】【課題】  軒樋を設けることなく、軒先から落下する雨水の飛散を効果的に抑制できると共に、軒先部分のデザイン性を向上させた雨落し構造を提供する。【解決手段】  住宅建築物１１の軒先部分１３に設けられ、勾配屋根１２を流下する雨水を衝突させて下方に案内する雨落し構造１０であって、屋根勾配に沿って軒先１３ａから前方に張り出して取り付けられる複数の張出し支持部材１５と、これらの張出し支持部材１５に支持固定されることにより、軒先１３ａとの間に間隔をおいて水返し面１４ａが屋根勾配の延長線と交差する面に配置される、帯板状の水返しプレート１４とからな。また水返しプレート１４の下方に水溜め１７が配置されている。【選択図】      図３
2006045771.tif 000002
【特許請求の範囲】
【請求項１】
住宅建築物の軒先部分に設けられ、勾配屋根を流下する雨水を衝突させて下方に案内する雨落し構造であって、
屋根勾配に沿って軒先から前方に張り出して取り付けられる複数の張出し支持部材と、該張出し支持部材に支持固定されることにより、前記軒先との間に間隔をおいて水返し面が前記屋根勾配の延長線と交差する面に配置される、帯板状の水返しプレートとからなる雨落し構造。
【請求項２】
前記水返しプレートの下方に水溜め又は玉砂利が配置されている請求項１に記載の雨落し構造。
【発明の詳細な説明】
【技術分野】
【０００１】
本発明は、住宅建築物の軒先部分に設けられ、勾配屋根を流下する雨水を衝突させて下方に案内する雨落し構造に関する。
【背景技術】
【０００２】
住宅建築物においては、勾配屋根に沿って流下してきた雨水を軒先から下方に落下させることなく排除できるように、軒先に沿って軒樋を設けたものが一般的に知られている。また、軒樋による雨だれ防止機能を向上させたり、軒樋を取り付けた軒先部分の美観を向上させるために、種々の工夫がなされている（例えば、特許文献１参照）。
【０００３】
さらに、例えば数寄屋建築等の比較的敷地に余裕のあるデザイン性の高い建築物や、旧来から存在する建築物においては、軒先部分に軒樋を設けることなく、軒先の下方に玉砂利等を敷き詰めて設けた雨落ちに雨水を落下させることにより、自然との一体感を感じやすいようにした建築物も散見される。
【特許文献１】特開２００４−８４３０１号公報
【発明の開示】
【発明が解決しようとする課題】
【０００４】
一方、軒樋を設けることなく軒先から雨水を下方に落下させる場合、雨量が増えたり風の影響を受けること等によって、落下する雨水が広範囲に亘って飛散する場合があることから、このような広範囲の飛散を効果的に抑制できるようにすることが望ましい。また、軒樋が省略された軒先部分のデザイン性をさらに向上させることが望ましい。
【０００５】
本発明は、このような従来の課題に着目してなされたものであり、軒樋を設けることなく、軒先から落下する雨水の飛散を効果的に抑制できると共に、軒先部分のデザイン性を向上させた雨落し構造を提供することを目的とする。
【課題を解決するための手段】
【０００６】
本発明は、住宅建築物の軒先部分に設けられ、勾配屋根を流下する雨水を衝突させて下方に案内する雨落し構造であって、屋根勾配に沿って軒先から前方に張り出して取り付けられる複数の張出し支持部材と、該張出し支持部材に支持固定されることにより、前記軒先との間に間隔をおいて水返し面が前記屋根勾配の延長線と交差する面に配置される、帯板状の水返しプレートとからなる雨落し構造を提供することにより、上記目的を達成したものである。
【０００７】
また、本発明の雨落し構造は、前記水返しプレートの下方に水溜め又は玉砂利が配置されていることが好ましい。
【発明の効果】
【０００８】
本発明の雨落し構造によれば、軒樋を設けることなく、軒先から落下する雨水の飛散を効果的に抑制できると共に、軒先部分のデザイン性を向上させることができる。
【発明を実施するための最良の形態】
【０００９】
本発明の好ましい一実施形態に係る雨落し構造１０は、図１〜図４に示すように、例えば住宅建築物１１における勾配屋根１２の軒先部分１３に、軒先１３ａから張り出すようにして設けられ、勾配屋根１２の屋根勾配に沿って流下する雨水を、軒先１３ａから所定の間隔ｓをおいて配置した水返しプレート１４に衝突させ、衝突した雨水が下方に落下するように案内するものである。
【００１０】
そして、  本実施形態の雨落し構造１０は、屋根勾配に沿って軒先１３ａから前方に張り出して取り付けられる複数の張出し支持部材１５と、これらの張出し支持部材１５に支持固定されることにより、軒先１３ａとの間に間隔ｓをおいて水返し面１４ａが屋根勾配の延長線と交差する面に配置される、帯板状の水返しプレート１４とによって構成されている。
【００１１】
本実施形態によれば、雨落し構造１０を構成する張出し支持部材１５は、例えばステンレス製の短冊形状のプレート部材からなり、例えば１００〜３００ｍｍ程度の長さを有している。張出し支持部材１５の基端部分には、ビス孔を有する矩形形状の固定プレート１５ａが、当該張出し支持部材１５に対して垂直に配置されて一体として溶着固定されており、この固定プレート１５ａを軒先部分１３の例えば鼻隠１６に固定することにより、張出し支持部材１５が、屋根勾配に沿って軒先１３ａから前方に張り出して取り付けられることになる。ここで、「張出し支持部材１５が屋根勾配に沿って取り付けられる。」とは、例えば２３〜４５度の角度で傾斜する屋根勾配の延長線よりも下方において、張出し支持部材１５の中心線が屋根勾配と平行となるように取り付けられる場合の他、屋根勾配と平行な方向から上下に３０度程度傾いた方向に取り付けられる場合も含まれる。
【００１２】
また、張出し支持部材１５の先端部分には、上縁部から下方に向けてスリット状に切り込むことにより、水返し固定スリット１５ｂが形成されており、この水返し固定スリット１５ｂに、水返しプレート１４の下部が填め込まれるようにして固定されることになる。なお、本実施形態によれば、水返し固定スリット１５ｂは、固定プレート１５ａを介して張出し支持部材１５が軒先部分１３に取り付けられた際に、鉛直方向又は略鉛直方向に配置されるように形成されている。張出し支持部材１５の先端面もまた、固定プレート１５ａを介して張出し支持部材１５が軒先部分１３に取り付けられた際に、鉛直方向又は略鉛直方向に配置されるように形成されている。さらに、張出し支持部材１５の先端の下端角部は、凹状の湾曲面１５ｃによって切り欠かれている。
【００１３】
そして、本実施形態によれば、張出し支持部材１５は、軒先部分１３の横方向に例えば４５０〜９００ｍｍ程度のピッチで複数取り付けられることになる。
【００１４】
張出し支持部材１５と共に雨落し構造１０を構成する水返しプレート１４は、例えばステンレス製の帯板形状のプレート部材であって、例えば７０〜３００ｍｍ程度の幅（高さ）を有している。本実施形態によれば、水返しプレート１４は、例えば５〜２５ｍｍ程度の厚さを有する中空のプレート部材となっており、これによって当該水返しプレート１４の軽量化が効果的に図られている。水返しプレート１４は、軒先部分１３に取り付けられた複数の張出し支持部材１５の各水返し固定スリット１５ｂに下部を填め込んで溶着等によって固定されることにより、複数の張出し支持部材１５に跨るように連続配置され、軒先１３ａと水返し面１４ａとの間に例えば１８０〜２５０ｍｍ程度の間隔ｓを保持して強固且つ安定した状態で取り付けられることになる。
【００１５】
また、本実施形態によれば、水返しプレート１４は、複数の張出し支持部材１５の各水返し固定スリット１５ｂに下部を填め込んで取り付けられることにより、水返し面１４ａを、屋根勾配の延長線と交差する面の一つである鉛直面又は鉛直面から−３０〜＋３０度程度傾けた面に沿って立設配置させると共に、その上端縁部を屋根勾配の延長線上に配設した状態で設置される。
【００１６】
そして、上述の構成を有する本実施形態の雨落し構造１０によれば、軒先部分１３に軒樋を設けることなく、軒先１３ａから落下する雨水の飛散を効果的に抑制できると共に、軒先部分１３のデザイン性を向上させることができる。すなわち、本実施形態の雨落し構造１０は、屋根勾配に沿って軒先１３ａから前方に張り出す複数の張出し支持部材１５と、張出し支持部材１５に支持固定されることにより、軒先１３ａとの間に間隔ｓをおいて水返し面１４ａが屋根勾配と対向するように配置される帯板状の水返しプレート１４とからなるので、勾配屋根に沿って流下する雨水を衝突させて下方に案内することが可能になり、これによって雨水の飛散防止を容易に図ることが可能になる。また、帯板状の水返しプレート１４が軒先１３ａを外側から覆うようにして連続配置されることになり、そのシンプル且つ個性的な形態によって、軒先部分１３のデザイン性を向上させることが可能になる。
【００１７】
さらに、本実施形態によれば、勾配屋根に沿って流下する雨水は、水返しプレート１４と衝突した後に、排除されることなく下方に落下することになるので、軒先部分１３の下方に、例えば池等として水溜め１７を設けたり、玉砂利等を配置して雨落ちを設けておくことにより、デザイン性の高い建築物や旧来の建築物と同等の自然との一体感や風流を感じることが可能になる。特に、軒先部分１３の下方に水溜め１７を設けておくことにより、当該水溜め１７の水面に光を反射させて、屋内へのさらに効果的な採光を図ることも可能になる。
【００１８】
なお、本発明は上記実施形態に限定されることなく種々の変更が可能である。例えば、張出し支持部材の張出し長さや配設ピッチ、水返しプレートの幅や取付け角度、軒先と水返し面との間隔等は、屋根勾配や予定雨量等を鑑みて適宜設定することができる。また、張出し支持部材や水返しプレートはステンレス製のものである必要は必ずしもなく、例えば木材や合成樹脂等のその他の材料を用いて形成することもできる。
【図面の簡単な説明】
【００１９】
【図１】本発明の一実施形態に係る雨落し構造が設けられる住宅を例示する部分斜視図である。
【図２】本発明の一実施形態に係る雨落し構造を示す部分斜視図である。
【図３】本発明の一実施形態に係る雨落し構造の取付け状況を説明する略示断面図である。
【図４】本発明の一実施形態に係る雨落し構造の構成部材の（ａ）は正面図、（ｂ）は上面図、（ｃ）は背面図、（ｄ）は底面図、（ｅ）は右側面図である。
【符号の説明】
【００２０】
１０  雨落し構造
１１  住宅建築物
１２  勾配屋根
１３  軒先部分
１３ａ  軒先
１４  水返しプレート
１４ａ  水返し面
１５  張出し支持部材
１５ａ  固定プレート
１５ｂ  水返し固定スリット
１５ｃ  湾曲面
１６  鼻隠
１７  水溜め
ｓ    軒先と水返し面との間の間隔
【図１】
2006045771.tif 000003
【図２】
2006045771.tif 000004
【図３】
2006045771.tif 000005
【図４】
2006045771.tif 000006